(57)【要約】【課題】  フィッティングサービスを提供するフィッターやフィッティングサービスを受けるゴルファーがフィッティングサービスに用いられるゴルフクラブに搭載された部品の状態を把握することができるようにする。【解決手段】  ゴルフクラブ１は、主装置３１、コネクタ３２、無線モジュール３３、アンテナ３４、発光素子３５および光ファイバ３６をグリップ１３内に有する。主装置３１は、モーションセンサなどのセンサ、ＣＰＵなどの回路および電池を含む装置である。発光素子３５は、ゴルフクラブ１に搭載された部品の状態に応じて発光する報知手段である。発光素子３５の発する光は、光ファイバ３６によってグリップエンド１４に導かれてグリップエンド１４を介してグリップ１３外に放出される。【選択図】図１
2017131580.tif 000002
【特許請求の範囲】
【請求項１】
ゴルファーに合ったゴルフクラブを選定するフィッティングサービスに用いられるゴルフクラブであって、
前記フィッティングサービスに用いられるゴルフクラブに搭載された部品の状態を報知する報知手段
を有することを特徴とするゴルフクラブ。
【請求項２】
前記報知手段は、
中空のグリップ内に収容され、
前記ゴルフクラブに搭載された部品の状態に応じて発光する発光手段、前記ゴルフクラブに搭載された部品の状態に応じて音を放音する放音手段および前記ゴルフクラブに搭載された部品の状態に応じて振動を発生する振動発生手段のうちの少なくとも１つを含むものである
ことを特徴とする請求項１に記載のゴルフクラブ。
【請求項３】
前記ゴルフクラブに搭載された部品の状態に応じた前記報知手段の出力を導いてグリップエンドを介してグリップ外に放出する放出手段を有する
ことを特徴とする請求項２に記載のゴルフクラブ。
【請求項４】
アンテナを有し、
グリップ内に挿入されたシャフトエンドは、グリップエンドよりもヘッド寄りに位置しており、
前記アンテナは、前記グリップ内におけるシャフトエンドとグリップエンドとの間の領域に配置される
ことを特徴とする請求項１から３のいずれか１の請求項に記載のゴルフクラブ。
【請求項５】
前記グリップ内における中空のシャフト内の領域において、シャフトエンドからヘッド方向に進むに従って、外部機器を接続するインターフェースであるコネクタ、前記報知手段、センサと各種回路と電源とを含む主装置の順にそれらが配置される
ことを特徴とする請求項４に記載のゴルフクラブ。
【発明の詳細な説明】
【技術分野】
【０００１】
この発明は、ゴルファーに合ったゴルフクラブを選定するフィッティングサービスに用いられるゴルフクラブに関する。
【背景技術】
【０００２】
特許文献１には、この種のフィッティングサービスに用いられるゴルフクラブが開示されている。特許文献１のゴルフクラブは、センサ、Ａ／Ｄ（アナログ／デジタル）変換器、ＣＰＵ（Ｃｅｎｔｒａｌ  Ｐｒｏｃｅｓｓｉｎｇ  Ｕｎｉｔ）、無線インターフェースおよび無線アンテナが収容されたセンサケーシングと、電池を収容する電池部とを有する。電池部は、グリップ内に配置され、センサケーシングは、グリップエンドから突出して配置される。フィッティングサービスを受けるゴルファー（以下、単にゴルファーという）が特許文献１のゴルフクラブをスイングすると、ゴルフクラブのセンサは、スイングの際のゴルファーの動作を検出する。特許文献１のゴルフクラブは、センサの検出結果をデータ解析装置として機能するコンピュータに無線通信によって送信する。コンピュータは、受信したセンサの検出結果からスイングを解析して結果を表示する。フィッティングサービス提供者（以下、フィッターという）は、このようにして得られたスイング解析結果を参照することで、当該ゴルファーに合ったゴルフクラブを提案することができる。
【先行技術文献】
【特許文献】
【０００３】
【特許文献１】特開２０１４−１４４１９８号公報
【発明の概要】
【発明が解決しようとする課題】
【０００４】
しかし、特許文献１のゴルフクラブを用いたフィッティングサービスでは、フィッターやゴルファーは、ゴルフクラブとコンピュータとの間の無線リンクの状態や電池残量などのゴルフクラブに搭載された部品の状態を、当該ゴルフクラブ自体からは把握することができない。
【０００５】
この発明は以上のような事情に鑑みてなされたものであり、フィッティングサービスを提供するフィッターやフィッティングサービスを受けるゴルファーがフィッティングサービスに用いられるゴルフクラブに搭載された部品の状態を把握することができるようにすることを目的とする。
【課題を解決するための手段】
【０００６】
この発明は、ゴルファーに合ったゴルフクラブを選定するフィッティングサービスに用いられるゴルフクラブであって、前記フィッティングサービスに用いられるゴルフクラブに搭載された部品の状態を報知する報知手段を有することを特徴とするゴルフクラブを提供する。
【０００７】
この発明のゴルフクラブでは、ゴルフクラブに搭載された部品の状態が報知手段によって報知される。このため、フィッティングサービスを提供するフィッターやフィッティングサービスを受けるゴルファーは、ゴルフクラブに搭載された部品の状態をゴルフクラブ自体から把握することができる。
【図面の簡単な説明】
【０００８】
【図１】この発明の第１実施形態であるゴルフクラブ１のグリップエンド１４付近の構成を示す透視側面図である。
【図２】同ゴルフクラブ１のグリップエンド１４付近の構成を示す透視側面図である。
【図３】この発明の第２実施形態であるゴルフクラブ１Ａのグリップエンド１４付近の構成を示す透視側面図である。
【図４】同ゴルフクラブ１Ａのグリップエンド１４付近の構成を示す透視側面図である。
【図５】この発明の第３実施形態であるゴルフクラブ１Ｂのグリップエンド１４付近の構成を示す透視側面図である。
【図６】同ゴルフクラブ１Ｂのグリップエンド１４付近の構成を示す透視側面図である。
【発明を実施するための形態】
【０００９】
以下、図面を参照し、この発明の実施形態について説明する。
＜第１実施形態＞
図１および図２は、この発明の第１実施形態によるゴルフクラブ１のグリップエンド１４付近の構成を示す透視側面図である。本実施形態のゴルフクラブ１は、ゴルファーに合ったゴルフクラブを選定するフィッティングサービスに用いられるものである。フィッティングサービスでは、フィッティングサービスを受けるゴルファーが本実施形態のゴルフクラブ１を用いてスイングする。ゴルファーがゴルフクラブ１をスイングすると、ゴルフクラブ１によってゴルファーの動作が検出され、その結果がデータ解析装置として機能するコンピュータに送信される。コンピュータは、その検出結果からゴルファーの動作を解析し、解析結果を表示する。フィッティングサービスを提供するフィッターは、コンピュータによる解析結果を参照することで当該ゴルファーにあったゴルフクラブを選定して提案することができる。
【００１０】
ゴルフクラブ１のシャフト１１は、カーボン材料などを筒状に加工した中空の棒状部材である。シャフト１１の前端には、ヘッド（図示略）が設けられている。ヘッドは、プレーに用いられる通常のゴルフクラブのそれと同様のものである。シャフト１１の後端は、中空の筒状のグリップ１３に挿入されている。グリップ１３を形成する素材は、ゴムや樹脂等の絶縁性を有する素材である。シャフト１１におけるグリップ１３に挿入された部分の外面は、グリップ１３の内面に接触している。以下、ゴルフクラブ１の中央からヘッドへ向かう方向を前方と呼び、ゴルフクラブ１の中央からグリップ１３へ向かう方向を後方と呼ぶ。グリップ１３に挿入されたシャフト１１の後端（以下、シャフトエンド１２と呼ぶ）は、グリップエンド１４よりも前方に位置する。
【００１１】
グリップエンド１４には、当該グリップエンド１４の開口部１５を塞ぐ円盤状のキャップ１６が装着される。グリップ１３内のグリップエンド１４付近には、グリップエンドホルダ１８が設けられている。グリップエンドホルダ１８は、外径の異なる２つの円筒状の部材を長手方向に連結したような筒状の部材である。より詳細には、グリップエンドホルダ１８は、グリップエンド１４に装着されたキャップ１６からシャフトエンド１２に向かってグリップ１３の内面に沿って延び、シャフトエンド１２部分において側面が階段状に折れ曲がるように径が小さくなった後、シャフトエンド１２から前方へシャフト１１の内面に沿って延びる筒状の部材である。グリップエンドホルダ１８を形成する素材は、ゴムや樹脂等の絶縁性を有する素材である。
【００１２】
ゴルフクラブ１は、第１の内蔵基板２１、第２の内蔵基板２２、主装置３１、コネクタ３２、無線モジュール３３、アンテナ３４、発光素子３５および光ファイバ３６をグリップ１３内に有する。図１は、板状の第１の内蔵基板２１の側面側からグリップ１３内を見たものであり、図２は、第１の内蔵基板２１の上側からグリップ１３内を見たものである。
【００１３】
第１の内蔵基板２１は、グリップ１３内であり、かつ、シャフト１１内となる領域（以下、シャフト１１の内側領域と呼ぶ）に配置され、グリップエンドホルダ１８によって支持されている。第１の内蔵基板２１の一方の板面上には、シャフトエンド１２から前方に進むに従って、コネクタ３２、発光素子３５、主装置３１の順にそれらが設けられている。
【００１４】
主装置３１は、センサ、電池および各種の回路を含む装置である。センサは、ゴルフクラブ１を用いたスイングなどからゴルファーの動作を検出する検出手段である。センサは、例えば、３軸方向の加速度を検出可能な加速度センサ、３軸回りの角速度を検出可能な角速度センサ、３軸方向の地磁気を検出可能な磁気センサなどを含むモーションセンサなどである。電池は、ゴルフクラブ１の各要素に電力を供給する電源である。電池は、例えば、リチウムイオン電池などの充電可能な２次電池である。主装置３１の各種の回路には、センサの出力信号をデジタル形式の信号に変換するＡ／Ｄ変換器やゴルフクラブ１の制御中枢として機能するＣＰＵなどが含まれる。また、主装置３１には、シャフト１１の撓みを測定するひずみセンサが接続されていても良い。
【００１５】
コネクタ３２は、外部機器との間でデータや電力の授受を行うインターフェースである。コネクタ３２は、第１の内蔵基板２１を介して主装置３１に接続されている。コネクタ３２は、キャップ１６が取り外されると、グリップ１３内においてグリップエンド１４の開口部１５を介して露出する。コネクタ３２は、例えば、ＵＳＢ（Ｕｎｉｖｅｒｓａｌ  Ｓｅｒｉａｌ  Ｂｕｓ）  Ｔｙｐｅ−Ｃ規格のメスコネクタである。例えば、コネクタ３２に当該コネクタ３２に対応するオスコネクタが差し込まれると、ゴルフクラブ１は、プラグアンドプレイ技術によって電池の充電などを開始する。
【００１６】
第１の内蔵基板２１におけるコネクタ３２等が設けられている板面に対して反対の板面のシャフトエンド１２付近には、第２の内蔵基板２２が重ねられている。第２の内蔵基板２２は、グリップエンドホルダ１８および第１の内蔵基板２１によって支持されている。第２の内蔵基板２２の一部は、グリップ１３内であり、かつ、シャフト１１外となる領域（以下、シャフト１１の外側領域と呼ぶ）に配置されている。第２の内蔵基板２２における第１の内蔵基板２１に対して反対の板面には、無線モジュール３３とその無線モジュール３３に接続されるアンテナ３４とが設けられている。
【００１７】
無線モジュール３３は、第２の内蔵基板２２におけるシャフト１１の内側領域部分に配置されている。無線モジュール３３は、第１の内蔵基板２１および第２の内蔵基板２２を間に挟んでコネクタ３２の丁度反対側に配置されている。無線モジュール３３は、主装置３１が出力する信号を変調して無線リンクを介してコンピュータへ送信し、無線リンクを介してコンピュータから受信した信号を復調して主装置３１へ出力する無線通信手段である。無線モジュール３３が送信する信号には、センサの検出結果を表す信号が含まれる。
【００１８】
アンテナ３４は、第２の内蔵基板２２におけるシャフト１１の外側領域部分に配置されている。すなわち、アンテナ３４の電波放射面は、導電性を有するシャフト１１によって遮られておらず、絶縁性を有するグリップ１３およびグリップエンドホルダ１８によって囲まれている。アンテナ３４の電波放射面から放射される電波がゴルフクラブ１における導電性を有するシャフト１１によって遮られないため、無線モジュール３３は、不具合なく無線通信を行うことができる。また、アンテナ３４は、第１の内蔵基板２１および第２の内蔵基板２２を間に挟んでコネクタ３２の反対側に配置されているため、コネクタ３２に対応するコネクタの差し込みを妨げない。
【００１９】
第１の内蔵基板２１におけるコネクタ３２と主装置３１との間には、２個の発光素子３５が設置されている。発光素子３５は、例えば、可視光を発する発光ダイオード（ＬＥＤ）である。発光素子３５は、主装置３１に電気的に接続されている。
【００２０】
発光素子３５の各々とグリップエンド１４に装着されるキャップ１６との間には、光ファイバ３６が設けられている。光ファイバ３６は、コネクタ３２を迂回するようにして第１の内蔵基板２１に固定されている。光ファイバ３６の発光素子３５側端は、発光素子３５の発光面に近接して配置され、光ファイバ３６のグリップエンド１４側端は、キャップ１６の貫通穴１７に収容される。光ファイバ３６の発光素子３５側端から入射した発光素子３５の光は、光ファイバ３６内を伝搬し、光ファイバ３６のグリップエンド１４側端からゴルフクラブ１外に放射される。
【００２１】
発光素子３５は、ゴルフクラブ１に搭載された部品の状態（以下、ゴルフクラブ１の状態と言うことがある）に応じて発光し、そのゴルフクラブ１に搭載された部品の状態をフィッターやゴルファーに報知する報知手段である。光ファイバ３６は、グリップ１３内の報知手段の出力（具体的には発光素子３５の発する光）をグリップエンド１４に導いてグリップエンド１４を介してグリップ１３外に放出する放出手段である。
【００２２】
発光素子３５の発する光は光ファイバ３６を介してゴルフクラブ１外に放射されるため、フィッターやゴルファーは、グリップエンド１４を見ることで発光素子３５の発する光を視認することが可能である。このため、フィッターやゴルファーは、発光素子３５の発する光によってフィッティングサービスに用いられるゴルフクラブ１に搭載された部品の状態を知ることができる。
【００２３】
発光素子３５が報知するゴルフクラブ１に搭載された部品の状態の一例として、電池の充電状態、コンピュータとの間の無線接続状態、ゴルフクラブ１の各要素間や回路内における断線状態などが挙げられる。フィッターやゴルファーは、フィッティングサービスの開始時やスイングの前後などにおいてグリップエンド１４を見ることで、このようなゴルフクラブ１の状態を確認することができる。なお、発光素子３５が報知するゴルフクラブ１の状態は、これらに限らない。
【００２４】
例えば、電池の充電状態を報知するには、次のようにすれば良い。まず、ＣＰＵは、電池の出力電圧をクロックやタイマに従って定期的に取得する。次に、ＣＰＵは、取得した電池の出力電圧の電圧値に基づいて電池残量の推定値を算出する。電池残量の推定値の算出には、電池の電圧値と電池残量とを関係付けたテーブルや関数を用いれば良い。次に、ＣＰＵは、算出した電池残量が予め定められた閾値を下回っているか否かを判断する。ＣＰＵは、このようにして電池の充電状態を検出する。
【００２５】
そして、ＣＰＵは、電池残量が閾値以上である場合に発光素子３５を橙色で点灯させ、電池残量が閾値を下回った場合に発光素子３５を橙色で点滅させて、電池の充電状態を報知する。このように発光素子３５を発光させれば、電池残量が少なくなっていることをフィッターやゴルファーに知らせて電池の充電を促すことができる。電池残量が少ないことを表す光（この例では橙色の点滅）を確認したフィッターやゴルファーは、ゴルフクラブ１のキャップ１６を取り外し、外部の電源に接続されたコネクタ付きケーブルをコネクタ３２に差し込んで電池の充電を行えば良い。
【００２６】
また、無線接続状態を報知するには、次のようにすれば良い。まず、コンピュータは、フィッターによる操作に応じて（あるいは定期的に）自装置の通信アドレス（具体的にはＭＡＣアドレス）を含む情報をブロードキャストする。ゴルフクラブ１のＣＰＵは、アンテナ３４および無線モジュール３３を介してその情報を受信すると、コンピュータの通信アドレスを記憶手段に記憶する。その後、ＣＰＵは、コンピュータの通信アドレス宛てに、自装置の通信アドレス（具体的にはＭＡＣアドレス）を含む情報を送信する。コンピュータは、その情報を受信すると、ゴルフクラブ１の通信アドレスを記憶手段に記憶する。このように、コンピュータとゴルフクラブ１との間で通信相手の通信アドレスを互いに記憶することで無線リンクが確立される。その後、コンピュータは、ゴルフクラブ１の通信アドレスを記憶した旨を表す完了情報をゴルフクラブ１に送信する。ゴルフクラブ１のＣＰＵは、この完了情報を受信したか否かを判断し、この完了情報を受信したときに無線リンクが確立したと認識する。ＣＰＵは、このようにして無線接続状態を検出する。無線リンクが確立されれば通信相手の通信アドレスが記憶手段に記憶された状態になるため、無線接続状態は、ゴルフクラブ１に搭載された部品の状態の一例である。
【００２７】
そして、ＣＰＵは、無線リンクが確立していない間、２つの発光素子３５の１つを発光させて、無線リンクが確立した場合に、２つの発光素子３５の両方を発光させる。このように発光素子３５を発光させて無線接続状態を報知すれば、無線リンクが確立していないことをフィッターやゴルファーが知ることができる。無線リンクが確立していないことを表す光（この例では１つの発光素子３５の光）を確認したフィッターは、無線リンクの接続操作をやり直せば良い。
【００２８】
また、断線状態を報知するには、次のようにすれば良い。まず、ゴルフクラブ１に検知対象の配線の断線状態を検知する断線状態検知手段を備えておく。断線状態検知手段は、検知対象の配線の断線状態をＣＰＵが認識できるような構成であればどのようなものであっても良い。ＣＰＵと無線モジュール３３との間の配線の断線を検知する一例として、以下の態様が考えられる。ＣＰＵと無線モジュール３３とが複数（例えば４本）のデータ線で接続されているとする。無線モジュール３３のレジスタにデータ線数分だけの桁の予め決められた相補的な２種類のビット列（例えば、「０１０１」と「１０１０」）を格納しておく。ＣＰＵは、無線モジュール３３に対してこのビット列の取得要求を定期的に行う。無線モジュール３３は、ＣＰＵからの要求に応じて、１桁目のビットを１番目のデータ線を介して送信し・・・４桁目のビットを４番目のデータ線を介して送信する、という具合に、ビット列の桁をデータ線に対応付けて２種類のビット列を順次に送信する。ＣＰＵは、無線モジュール３３から順次に受信した２種類のビット列の各ビットが、予め決められた内容と同じであるか否かを判断する。ＣＰＵは、予め決められた内容と異なるビットがあった場合、そのビットが送信されたデータ線に断線あるいは短絡があった旨を認識する。データ線に断線や短絡があった場合、そのデータ線の電圧レベルはＨレベルまたはＬレベルの一方にはり付くことになる。電圧レベルがＬレベルにはり付いた場合、無線モジュール３３がＨレベルを表すビット「１」を出力したとしても、ＣＰＵは、Ｌレベルを表すビット「０」しか得られないこととなる。このため、ＣＰＵは、相補的な２種類のビット列が正しく受信できたか否かによって断線状態を検知することができる。
【００２９】
そして、ＣＰＵは、ゴルフクラブ１内において断線や短絡を検知した場合、発光素子を赤色で点滅させる。このように発光素子３５を発光させれば、ゴルフクラブ１内に断線や短絡が発生してゴルフクラブ１が正常な状態ではないことを、フィッターやゴルファーが知ることができる。断線や短絡が発生したことを表す光（この例では赤色の光）を確認したフィッターは、正常なゴルフクラブ１に取り換えた後にフィッティングサービスの提供を行えば良い。
【００３０】
ゴルフクラブ１に搭載された部品の状態（電池の充電状態、無線接続状態および配線の断線状態など）の検出方法は上述の例に限らない。また、発光素子３５におけるゴルフクラブ１の状態を区別する態様は、点灯、点滅、点灯数および発光色に限らない。例えば、点滅の周期によってゴルフクラブ１の状態を区別しても良い。また、ゴルフクラブ１の状態と発光素子３５の発光パターン（点灯、点滅、点灯数および発光色など）の組み合わせは、上記の例に限らない。また、ゴルフクラブ１に搭載される発光素子３５の数は、２個に限らない。発光素子３５の数は、１個であっても良いし、３個以上であっても良い。
【００３１】
以上のように、本実施形態のゴルフクラブ１は、当該ゴルフクラブ１に搭載された部品の状態に応じて発光する発光素子３５を有する。ゴルフクラブ１に搭載された部品の状態が発光素子３５によってフィッターやゴルファーに報知されるため、フィッターやゴルファーは、ゴルフクラブ１に搭載された部品の状態をゴルフクラブ１自体から把握することができる。
【００３２】
また、特許文献１のゴルフクラブでは、センサケーシングがグリップエンドから突出しているため、プレーで使用されるゴルフクラブに比べ、ゴルフクラブの重心がセンサケーシングの突出分だけグリップエンド側（換言するとゴルフクラブを構えるゴルファー側）にずれる。このため、特許文献１のゴルフクラブでは、スイングの際にゴルファーに違和感を与える虞がある。また、特許文献１のゴルフクラブでは、センサケーシングがグリップエンドから突出していることで、プレーで使用されるゴルフクラブの外観と異なるため、ゴルファーに視覚的に違和感を与える虞もある。
【００３３】
これに対し、本実施形態のゴルフクラブ１では、センサを含む主装置３１、無線モジュール３３およびアンテナ３４がグリップ１３内に収容されており、グリップエンド１４から突出する部分がない。このため、ゴルフクラブ１では、プレーで使用されるゴルフクラブと比べて、ゴルフクラブ１の重心がグリップエンド１４側にずれることがなく、外観も変わらない。従って、フィッティングサービスにおいてゴルフクラブ１を用いれば、フィッティングサービスを受けるゴルファーにスイングの際や視覚的に違和感を生じさせることはない。
【００３４】
また、特許文献１のゴルフクラブでは、センサケーシングがグリップエンドから突出しているため、センサケーシングに衝撃が与えられる虞があり、収容されているセンサ等が破損する可能性が高い。これに対し、本実施形態のゴルフクラブ１では、センサ等がグリップエンド１４から突出していないため、センサ等が破損する可能性は低い。
【００３５】
＜第２実施形態＞
図３および図４は、この発明の第２実施形態によるゴルフクラブ１Ａの構成を示す透視側面図である。本実施形態のゴルフクラブ１Ａは、光ファイバ３６および発光素子３５に代えて放音装置３５Ａを有する点において第１実施形態のゴルフクラブ１と異なる。
【００３６】
放音装置３５Ａは、第１の内蔵基板２１における主装置３１とコネクタ３２の間の位置に設けられている。放音装置３５Ａは、具体的には、スピーカユニットやブザーである。放音装置３５Ａは、主装置３１に電気的に接続されている。
【００３７】
放音装置３５Ａは、ゴルフクラブ１Ａに搭載された部品の状態に応じた音を放音して当該ゴルフクラブ１Ａに搭載された部品の状態を音によってフィッターやゴルファーに報知する報知手段である。放音装置３５Ａは、ＣＰＵの制御の下にゴルフクラブ１Ａの状態に応じた音を放音する。ゴルフクラブ１Ａの状態については、第１実施形態のそれと同様である。例えば、ＣＰＵは、電池残量が予め定められた閾値を下回った場合に、その電池残量の条件に予め対応付けられた音信号を放音装置３５Ａに出力して、その音信号が表す音を放音装置３５Ａから放音させる。フィッターやゴルファーは、放音装置３５Ａの放音する音によってゴルフクラブ１Ａの状態を知ることができる。また、放音装置３５Ａに放音させる音の周波数、音色、旋律、放音周期などをゴルフクラブ１Ａの状態に合わせて変えることで、フィッターやゴルファーにゴルフクラブ１Ａの状態を区別させることが可能である。
【００３８】
以上のように、本実施形態のゴルフクラブ１Ａでは、ゴルフクラブ１Ａに搭載された部品の状態が放音装置３５Ａの発する音によってフィッターやゴルファーに報知される。また、グリップエンド１４から突出する部分がない。これらより、本実施形態においても第１実施形態と同様の効果が得られる。
【００３９】
＜第３実施形態＞
図５および図６は、この発明の第３実施形態によるゴルフクラブ１Ｂの構成を示す透視側面図である。本実施形態のゴルフクラブ１Ｂは、光ファイバ３６および発光素子３５に代えて振動発生装置３５Ｂを有する点において第１実施形態のゴルフクラブ１と異なる。
【００４０】
振動発生装置３５Ｂは、第１の内蔵基板２１における主装置３１とコネクタ３２との間の位置に設けられている。振動発生装置３５Ｂは、主装置３１に電気的に接続されている。振動発生装置３５Ｂは、例えば、グリップ１３内に収容可能な程度に小型で軽量な電動機である。振動発生装置３５Ｂの固定子となる本体は、第１の内蔵基板２１およびグリップエンドホルダ１８を介してグリップ１３に支持されている。振動発生装置３５Ｂの回転子の回転中心軸となる部材の先端には、錘が連結される。錘は、当該錘の重心が回転子の回転中心軸からずれるように連結される。回転子が回転すると、重心が回転中心軸からずれている錘の遠心力によって、振動発生装置３５Ｂ全体が振り回される。振動発生装置３５Ｂ全体が振り回されることで振動が発生し、その振動が振動発生装置３５Ｂを支持するグリップ１３に伝わる。
【００４１】
振動発生装置３５Ｂは、ゴルフクラブ１Ｂに搭載された部品の状態に応じた振動を発生して当該ゴルフクラブ１Ｂに搭載された部品の状態を振動によってフィッターやゴルファー（主にゴルファー）に報知する報知手段である。振動発生装置３５Ｂは、ＣＰＵの制御の下にゴルフクラブ１Ｂの状態に応じた振動を発生する。例えば、ＣＰＵは、電池残量が予め定められた閾値を下回った場合に、振動発生装置３５Ｂに電力を供給して振動発生装置３５Ｂを振動させる。ゴルフクラブ１Ｂを持つゴルファーは、グリップ１３などに伝わった振動によってゴルフクラブ１Ｂの状態を知ることができる。また、振動発生装置３５Ｂの発生する振動の周波数や振動発生周期などをゴルフクラブ１Ｂの状態に合わせて変えることで、フィッターやゴルファーにゴルフクラブ１Ｂの状態を区別させることが可能である。
【００４２】
以上のように、本実施形態のゴルフクラブ１Ｂでは、ゴルフクラブ１Ｂに搭載された部品の状態が振動発生装置３５Ｂの発生する振動によってゴルファーに報知される。また、グリップエンド１４から突出する部分がない。これらより、本実施形態においても第１および第２実施形態と同様の効果が得られる。
【００４３】
＜他の実施形態＞
以上、この発明の第１〜第３実施形態について説明したが、この発明には他にも実施形態が考えられる。例えば次の通りである。
【００４４】
（１）第１実施形態のゴルフクラブ１では、光ファイバ３６を用いて発光素子３５の発する光をグリップエンド１４に導光していた。しかし、光ファイバ３６を省略し、発光素子３５の発する光をキャップ１６の貫通穴１７に直接に伝わるようにしても良い。この態様においても、貫通穴１７を介してグリップ１３内を覗くことでグリップ１３内の発光素子３５の発する光を視認することできるからである。ただし、光ファイバ３６を用いた態様の方が、発光素子３５の発する光をよりはっきりと視認することができるため、光ファイバ３６を用いて導光するのが好ましい。
【００４５】
（２）第１の実施形態のゴルフクラブ１において、キャップ１６、グリップエンドホルダ１８およびグリップ１３などを、光透過性を有する素材を用いて形成し、それらを透明や半透明にしても良い。この態様では、光ファイバ３６を省略したとしても、発光素子３５の発する光をグリップ１３外からはっきりと視認することができる。
【００４６】
（３）第２実施形態のゴルフクラブ１Ａにおいて、キャップ１６に貫通穴１７を設けても良い。放音装置３５Ａから放音される音が貫通穴１７を介してゴルフクラブ１Ａ外に伝わり易くなり、フィッターやゴルファーは、当該音を聴き取り易くなるからである。また、第２実施形態のゴルフクラブ１Ａにおいて、キャップ１６に貫通穴１７を設け、さらに、放音装置３５Ａからキャップの貫通穴１７に至る導音管を設けても良い。この態様では、放音装置３５Ａから放音される音がグリップエンド１４に導かれてグリップエンド１４を介してグリップ１３外に放出されるため、フィッターやゴルファーは、より鮮明に当該音を聴き取ることができる。
【００４７】
（４）報知手段は、各実施形態に例示した態様に限らない。また、第１実施形態と第２実施形態とを組み合わせてゴルフクラブのグリップ１３内に発光素子３５と放音装置３５Ａとを収容する、という具合に、ゴルフクラブに複数種の報知手段を搭載しても良い。複数種の報知手段を搭載することで、報知可能なゴルフクラブの状態の種類を増やすことができる。また、第１の内蔵基板２１における主装置３１およびコネクタ３２が設置される板面側に第１の報知手段（例えば、発光素子）を配置し、第１の報知手段が配置される位置に対して第１の内蔵基板２１を挟んだ反対側に第２の報知手段（例えば、放音装置）を配置しても良い。このようにすれば、主装置３１とコネクタ３２との間が狭くても複数種の報知手段を主装置３１とコネクタ３２との間に設けることができる。
【００４８】
（５）報知手段は、スイングの測定に際してゴルフクラブの状態が準備万端の状態であることをゴルファーに報知しても良い。ゴルファーは、準備万端であることを把握することで、スイングを開始することができるからである。また、各実施形態のゴルフクラブの報知手段は、コンピュータから受信する指示信号を契機としてゴルフクラブの状態を表す報知を行っても良い。例えば、コンピュータから指示信号を受信したゴルフクラブのＣＰＵは、その時点のゴルフクラブが準備万端の状態であった場合に、振動発生装置３５Ｂに振動を発生させて、ゴルファーに準備万端であることを報知する、という具合である。この態様では、フィッターがコンピュータを操作して指示信号をゴルフクラブに送信することで、ゴルファーにスイングを促すことが可能になる。
【符号の説明】
【００４９】
１，１Ａ，１Ｂ…ゴルフクラブ、１１…シャフト、１２…シャフトエンド、１３…グリップ、１４…グリップエンド、１５…開口部、１６…キャップ、１７…貫通穴、１８…グリップエンドホルダ、２１…第１の内蔵基板、２２…第２の内蔵基板、３１…主装置、３２…コネクタ、３３…無線モジュール、３４…アンテナ、３５…発光素子、３５Ａ…放音装置、３５Ｂ…振動発生装置、３６…光ファイバ。
【図１】
2017131580.tif 000003
【図２】
2017131580.tif 000004
【図３】
2017131580.tif 000005
【図４】
2017131580.tif 000006
【図５】
2017131580.tif 000007
【図６】
2017131580.tif 000008